(57)【要約】【課題】表示装置により第１のコンテンツデータの再生前に再生される第２のコンテンツデータの選択の自由度を高める。【解決手段】データ再生システムは、コンテンツデータを再生する表示装置と、該表示装置と通信する情報端末において実行される再生制御プログラムとを有するデータ再生システムであって、前記再生制御プログラムは、前記情報端末を、前記表示装置において第１のコンテンツデータの再生前に再生され、選択されたコンテンツデータに基づく第２のコンテンツデータを生成する生成手段、前記表示装置に前記第２のコンテンツデータの再生を指示する指示手段として機能させ、前記表示装置は、前記指示を受け付けた場合、前記第２のコンテンツデータを再生し、該第２のコンテンツデータの再生中に前記第１のコンテンツデータの再生が可能となった場合、該第１のコンテンツデータを再生する再生手段を有することを特徴とする。【選択図】図４
2015041836.tif 000002
【特許請求の範囲】
【請求項１】
コンテンツデータを再生する表示装置と、
該表示装置と通信する情報端末において実行される再生制御プログラムとを有するデータ再生システムであって、
前記再生制御プログラムは、
前記情報端末を、
前記表示装置において第１のコンテンツデータの再生前に再生され、選択されたコンテンツデータに基づく第２のコンテンツデータを生成する生成手段、
前記表示装置に前記第２のコンテンツデータの再生を指示する指示手段として機能させ、
前記表示装置は、
前記指示を受け付けた場合、前記第２のコンテンツデータを再生し、該第２のコンテンツデータの再生中に前記第１のコンテンツデータの再生が可能となった場合、該第１のコンテンツデータを再生する再生手段を有することを特徴とするデータ再生システム。
【請求項２】
コンテンツデータを再生する表示装置と、該表示装置と通信する情報端末とを有するデータ再生システムであって、
前記情報端末は、
前記表示装置において第１のコンテンツデータの再生前に再生され、選択されたコンテンツデータに基づく第２のコンテンツデータを生成する生成手段と、
前記表示装置に前記第２のコンテンツデータの再生を指示する指示手段とを有し、
前記表示装置は、
前記指示を受け付けた場合、前記第２のコンテンツデータを再生し、該第２のコンテンツデータの再生中に前記第１のコンテンツデータの再生が可能となった場合、該第１のコンテンツデータを再生する再生手段を有することを特徴とするデータ再生システム。
【請求項３】
コンテンツデータを再生する表示装置と通信する情報端末であって、
前記表示装置において第１のコンテンツデータの再生前に再生され、選択されたコンテンツデータに基づく第２のコンテンツデータを生成する生成手段と、
前記表示装置に前記第２のコンテンツデータの再生を指示する指示手段とを有することを特徴とする情報端末。
【請求項４】
情報端末からの指示に基づきコンテンツデータを再生する表示装置であって、
前記情報端末からの前記指示を受け付けた場合、第１のコンテンツデータの再生前に再生され、選択されたコンテンツデータに基づく第２のコンテンツデータを再生する再生手段を有し、
前記再生手段は、
前記第２のコンテンツデータの再生中に前記第１のコンテンツデータの再生が可能となった場合、該第１のコンテンツデータを再生することを特徴とする表示装置。
【請求項５】
コンテンツデータを再生する表示装置と通信する情報端末において実行される再生制御プログラムであって、
前記情報端末を、
前記表示装置において第１のコンテンツデータの再生前に再生され、選択されたコンテンツデータに基づく第２のコンテンツデータを生成する生成手段、
前記表示装置に前記第２のコンテンツデータの再生を指示する指示手段として機能させることを特徴とする再生制御プログラム。
【請求項６】
前記情報端末を、
前記第２のコンテンツデータを生成するための前記コンテンツデータの選択を受け付ける選択手段として機能させることを特徴とする請求項５記載の再生制御プログラム。
【請求項７】
前記生成手段は、
前記表示装置が有する表示能力に基づき前記第２のコンテンツデータの解像度を変更する請求項５又は６記載の再生制御プログラム。
【請求項８】
情報端末からの指示に基づきコンテンツデータを再生する表示装置において実行される再生プログラムであって、
前記表示装置を、
前記情報端末からの前記指示を受け付けた場合、第１のコンテンツデータの再生前に再生され、選択されたコンテンツデータに基づく第２のコンテンツデータを再生する再生手段として機能させ、
前記再生手段は、
前記第２のコンテンツデータの再生中に前記第１のコンテンツデータの再生が可能となった場合、該第１のコンテンツデータを再生することを特徴とする再生プログラム。
【請求項９】
前記再生手段は、
前記第２のコンテンツデータの再生中に前記第１のコンテンツデータの受信が完了した場合又はストリーミング再生が可能となった場合、該第１のコンテンツデータを再生することを特徴とする請求項８記載の再生プログラム。
【請求項１０】
情報端末と通信する表示装置において再生されるコンテンツデータの再生処理を制御するための再生制御方法であって、
情報端末と、該情報端末と通信する表示装置において再生されるコンテンツデータの再生処理を制御するための再生制御方法であって、
前記情報端末が、前記表示装置において第１のコンテンツデータの再生前に再生され、選択されたコンテンツデータに基づく第２のコンテンツデータを生成する生成ステップと、
前記情報端末が、前記表示装置に前記第２のコンテンツデータの再生を指示する指示ステップと、
前記表示装置が、前記情報端末からの前記指示を受け付けた場合、前記第２のコンテンツデータを再生し、該第２のコンテンツデータの再生中に前記第１のコンテンツデータの再生が可能となった場合、該第１のコンテンツデータを再生する再生ステップとを有することを特徴とする再生制御方法。
【発明の詳細な説明】
【技術分野】
【０００１】
本発明は、データ再生システム、情報端末、表示装置、再生制御プログラム、再生プログラム及び再生制御方法に関する。
【背景技術】
【０００２】
従来、画像データ等のコンテンツデータを転送する転送元装置（例えばスマートフォンやタブレット端末等）が、転送先装置（例えばプロジェクタやディスプレイ等）に転送する場合、転送先装置においてコンテンツデータの転送（受信）状態が表示出力されなかったため、転送中又は転送失敗等の状態をユーザが把握できない問題があった。
【０００３】
そこで、特許文献１には、ネットワーク機能を有する記録再生装置を用いてコンテンツ共有を行う際に、ユーザが一画面で複数のコンテンツの内容や転送の進捗状況、コンテンツの送信／受信、コンテンツの転送終了までの時間を把握出来るように表示する技術が開示されている。
【発明の概要】
【発明が解決しようとする課題】
【０００４】
しかしながら、特許文献１に記載された技術では、記録再生装置のメモリに保存されている予め用意されたコンテンツしか表示できないため、転送中にユーザに表示出力するコンテンツの選択の自由度が低い。そのため、例えばコンテンツが広告に関するものである場合、コンテンツの転送中に、コンテンツの提供者と無関係の記録再生装置が保持するコンテンツが表示されてしまったり、転送中の待ち時間を有効に活用できなかったりするといった問題があった。
【０００５】
そこで、本発明は、上記の点に鑑みてなされたものであって、表示装置により第１のコンテンツデータの再生前に再生される第２のコンテンツデータの選択の自由度を高めることを目的とする。
【課題を解決するための手段】
【０００６】
上記課題を解決するため、本発明のデータ再生システムは、コンテンツデータを再生する表示装置と、該表示装置と通信する情報端末において実行される再生制御プログラムとを有するデータ再生システムであって、前記再生制御プログラムは、前記情報端末を、前記表示装置において第１のコンテンツデータの再生前に再生され、選択されたコンテンツデータに基づく第２のコンテンツデータを生成する生成手段、前記表示装置に前記第２のコンテンツデータの再生を指示する指示手段として機能させ、前記表示装置は、前記指示を受け付けた場合、前記第２のコンテンツデータを再生し、該第２のコンテンツデータの再生中に前記第１のコンテンツデータの再生が可能となった場合、該第１のコンテンツデータを再生する再生手段を有することを特徴とする。
【発明の効果】
【０００７】
本発明の実施の形態によれば、表示装置により第１のコンテンツデータの再生前に再生される第２のコンテンツデータの選択の自由度を高めることができる。
【図面の簡単な説明】
【０００８】
【図１】本発明の実施形態におけるデータ再生システムのシステム構成の一例を示す図である。
【図２】本発明の実施形態におけるデータ再生システムの利用シーンの一例を説明する図である。
【図３】本発明の実施形態におけるデータ再生システムが有する各装置のハードウェア構成の一例を示す図である。
【図４】本発明の実施形態におけるデータ再生システムが有する各装置の機能構成の一例を示す図である。
【図５】本発明の実施形態におけるデータ再生システムの動作手順の一例を示すシーケンス図（その１）である。
【図６】本発明の実施形態におけるデータ再生システムの動作手順の一例を示すシーケンス図（その２）である。
【図７】本発明の実施形態における情報端末に表示される表示画面の一例を示す図である。
【図８】本発明の実施形態における表示装置の処理手順の一例を示すフローチャート図である。
【図９】本発明の実施形態の変形例におけるプレ再生コンテンツデータの変換イメージの一例を示す図である。
【発明を実施するための形態】
【０００９】
以下、本発明の実施の形態（以下、「実施形態」という。）を図面に基づいて説明する。なお、本発明の実施形態におけるデータ再生制御技術は、例えば、情報端末と表示装置とを有するデータ再生システムにおいて実現される。具体的には、情報端末が、ユーザにより設定された値に基づきコンテンツデータの再生に関する情報である再生制御情報を生成し、当該生成した再生制御情報を表示装置に送信することで、表示装置に当該再生制御情報を設定するデータ再生システムにおいて実現される。以下、当該データ再生システムについて詳説したうえで、当該データ再生システムにおいて実現されるデータ再生制御技術について説明する。
［システム構成］
本発明の実施形態におけるデータ再生制御技術が実現されるデータ再生システムのシステム構成について説明する。図１は、本発明の実施形態におけるデータ再生システム１００のシステム構成の一例を示す図である。
【００１０】
データ再生システム１００は、本発明の実施形態における情報端末２００と表示装置３００とを有する。データ再生システム１００において、情報端末２００と表示装置３００とはネットワーク等のデータ伝送路Ｎを介して通信可能に接続されている。
【００１１】
情報端末２００は、例えばＩＥＥＥ８０２．１１規格に準拠する無線ＬＡＮ通信方式又は３Ｇ（3rd Generation）、ＬＴＥ（Long Term Evolution）、４Ｇ（4th Generation）等の規格に準拠する移動体通信方式の少なくともいずれか一方により通信を行うように構成されている。但し、情報端末２００は、例えばＺｉｇＢｅｅ（登録商標）やＢｌｕｅｔｏｏｔｈ（登録商標）等に準ずる無線通信方式又はイーサネット（登録商標）の規格に準ずる有線ＬＡＮ通信方式により通信を行うように構成されていてもよい。
【００１２】
情報端末２００は、例えばスマートフォン、タブレット端末若しくは携帯電話等の無線通信端末又はラップトップＰＣ（Personal Computer）等であって、表示装置３００と通信を行うことができる機器であればよい。
【００１３】
情報端末２００には、本発明の実施形態における再生制御プログラム２１０がインストールされている。情報端末２００は、再生制御プログラム２１０を実行することにより、表示装置３００に表示させるコンテンツデータの再生に関する情報である再生制御情報を生成するとともに、コンテンツデータと再生制御情報とを表示装置３００に送信する。
【００１４】
本発明の実施形態における表示装置３００には、再生プログラム３１０がインストールされている。表示装置３００は、再生プログラム３１０を実行することにより、情報端末２００から送信されたコンテンツデータを、再生制御情報に基づいて表示する。
【００１５】
表示装置３００は、情報端末２００から送信された再生制御情報に基づきコンテンツデータを表示する表示機能を有していればよく、例えばプロジェクタやディスプレイ等の機器であればよい。
【００１６】
以下、本発明の実施形態の説明では、表示装置３００がコンテンツデータを表示することを、コンテンツデータを再生する、ともいう。本発明の実施形態におけるコンテンツデータの再生は再生制御情報に従って行われるが、再生制御情報を参照せずにコンテンツデータが再生されてもよい。
【００１７】
また、本発明の実施形態の説明におけるコンテンツデータには、例えば、画像データや動画データ等が含まれる。コンテンツデータは、例えばＪＰＥＧ(Joint Photographic Experts Group)、ＪＰＥＧ２０００、ＧＩＦ（Graphics Interchange Format）、ＭＰＥＧ（Moving Picture Experts Group）、ＡＶＩ（Audio Video Interleave）、ＭＳ  ＰｏｗｅｒＰｏｉｎｔ（登録商標）等のデータ形式である。また、コンテンツデータとなる画像データは、例えば１枚の画像からなる画像データであってもよいし、複数枚の画像からなる画像データであってもよい。すなわち、本発明の実施形態の説明におけるコンテンツデータは、表示装置３００に再生させることが可能なデータであればよい。
【００１８】
なお、以下の本発明の実施形態の説明では、表示装置３００に再生させるコンテンツデータを再生コンテンツデータと呼び、再生コンテンツデータの再生前に表示装置３００において再生されるコンテンツデータをプレ再生コンテンツデータと呼ぶ。また、例えば所定の記憶領域に格納されているコンテンツデータを単にコンテンツデータと呼ぶ。
【００１９】
なお、以下の本発明の実施形態の説明では、コンテンツデータの再生に関する情報である再生制御情報のうち、プレ再生コンテンツデータの再生に関するものをプレ再生制御情報といい、再生コンテンツデータの再生に関するものを単に再生制御情報という。
[データ再生システムの利用シーン]
次に、図２を参照しながら、本発明の実施形態におけるデータ再生システム１００の利用シーンについて説明する。図２は、本発明の実施形態におけるデータ再生システムの利用シーンの一例を説明する図である。
【００２０】
図２の例では、情報端末２００としてスマートフォン又はタブレット端末が用いられ、表示装置３００としてプロジェクタ３０１とスクリーン３０２とが用いられた場合のデータ再生システム１００を示している。なお、データ再生システム１００は、例えば電子看板（Digital Signage）として利用することができる。
【００２１】
図２（ａ）に示すように、情報端末２００は、ユーザにより任意に選択されたコンテンツデータに基づくプレ再生コンテンツデータを生成する。また、情報端末２００は、プレ再生コンテンツデータの再生の仕方が設定されると、この設定に基づき、プレ再生コンテンツデータについてのプレ再生制御情報を生成する。そして情報端末２００は、プレ再生コンテンツデータとプレ再生制御情報とをプロジェクタ３０１に送信する。
【００２２】
プロジェクタ３０１は、受信したプレ再生コンテンツデータを記憶部３２（後述）に保存し、プレ再生制御情報に従ってプレ再生コンテンツデータを再生する。
【００２３】
図２（ｂ）に示すデータ再生システムの動作は、図２（ａ）に示した動作後に行われる。すなわち、図２（ｂ）の初期状態では、プロジェクタ３０１がプレ再生コンテンツデータを再生し、スクリーン３０２にプレ再生コンテンツデータに基づくプレ再生コンテンツが表示されている。
【００２４】
図２（ｂ）に示すように、情報端末２００は、ユーザにより任意に選択されたコンテンツデータに基づく再生コンテンツデータを生成する。また、情報端末２００は、再生コンテンツデータの再生の仕方が設定されると、この設定に基づき、再生コンテンツデータについての再生制御情報を生成する。そして情報端末２００は、再生コンテンツデータと再生制御情報とをプロジェクタ３０１に送信する。
【００２５】
プロジェクタ３０１は、受信した再生コンテンツデータを記憶部３２（後述）に保存し、再生中のプレ再生コンテンツデータの再生を停止し、再生制御情報に従ってプレ再生コンテンツデータの再生に切り替える。
【００２６】
このように、本発明の実施形態におけるデータ再生システム１００によれば、表示装置３００において再生コンテンツデータが再生される前、すなわち情報端末２００から表示装置３００に再生コンテンツデータの転送（送信）中に、情報端末２００においてユーザが任意に選択したコンテンツデータに基づくプレ再生コンテンツデータを表示装置３００に再生させることができる。
[ハードウェア構成]
次に図３を参照してデータ再生システム１００が有する各装置のハードウェア構成を説明する。図３は、本発明の実施形態におけるデータ再生システム１００が有する各装置のハードウェア構成の一例を示す図である。
【００２７】
＜情報端末＞
図３に示すように、本発明の実施形態における情報端末２００は、ＣＰＵ（Central Processing Unit）２１、記憶部２２、入力部２３、外部インターフェース部２４、ネットワーク制御部２５、出力部２６及びドライバ２７を有する。なお、これらの要素はバスＢ１を介して相互に接続されている。
【００２８】
ＣＰＵ２１は、情報端末２００の各種動作を制御するコンピュータである。記憶部２２は、情報端末２００の動作や演算に係る各種情報、情報端末２００で実行される、再生制御プログラム２１０をはじめとする各種プログラム等を格納する。入力部２３は、各種信号や情報を入力するために用いられる。入力部２３は、例えばタッチパネル等の表示機能を有していてもよい。なお、入力部２３は、例えばポインティングデバイスやキーボード等であってもよい。
【００２９】
外部インターフェース部２４は、例えばＵＳＢ（Universal Serial Bus）メモリスロットやＳＤカードスロット、ＮＦＣ（Near field communication）等である。ネットワーク制御部２５は、モデム、ＬＡＮカード等を含み、ネットワークに接続するために用いられる。
【００３０】
出力部２６は、情報端末２００から外部に各種情報を出力するために用いられる。出力部２６は、例えばディスプレイ等であってもよいし、外部装置へ各種データを送信する送信部であってもよい。
【００３１】
本発明の実施形態における再生制御プログラム２１０は、情報端末２００を制御する各種プログラムの少なくとも一部であり、例えば、記録媒体２８の配布やネットワークからのダウンロードなどによって提供される。
【００３２】
つまり、再生制御プログラム２１０は、表示装置３００と組み合わせ、再生制御システムとしてユーザに提供されてもよいし、表示装置３００とは別個に（つまり、再生制御プログラム２１０のみが単独で）ユーザに提供されてもよい。無論、情報端末２００にはじめからインストールされた状態で、情報端末２００として、ユーザに提供されてもよい。
【００３３】
再生制御プログラム２１０を記録した記録媒体２８には、ＣＤ−ＲＯＭ、フレキシブルディスク、光磁気ディスク等のように情報を光学的、電気的又は磁気的に記録する記録媒体を用いることができる。あるいは、ＲＯＭ、フラッシュメモリ等のように情報を電気的に記録する半導体メモリ等の記録媒体を用いることができる。
【００３４】
再生制御プログラム２１０を記録した記録媒体２８がドライバ２７にセットされると、再生制御プログラム２１０は記録媒体２８からドライバ２７を介して記憶部２２にインストールされる。ネットワークからダウンロードされる場合にあっては、再生制御プログラム２１０は、ネットワーク制御部２５を介して記憶部２２にインストールされる。
【００３５】
記憶部２２は、インストールされた再生制御プログラム２１０をはじめとする各種プログラムを格納すると共に、必要なファイル、データ等を格納する。ＣＰＵ２１は記憶部２２に格納された再生制御プログラム２１０に従って、後述するような各種処理を実現する。
【００３６】
＜表示装置＞
図３に示すように、本発明の実施形態における表示装置３００は、それぞれがバスＢ２を介して相互に接続されているＣＰＵ３１、記憶部３２、入力部３３、外部インターフェース部３４、ネットワーク制御部３５、表示部３６、ドライバ３７を有する。
【００３７】
ＣＰＵ３１は、表示装置３００の各種動作を制御するコンピュータである。記憶部３２は、表示装置３００の動作や演算に係る各種情報や、表示装置３００で実行される再生プログラム３１０をはじめとする各種プログラム、表示装置３００で再生されるプレ再生コンテンツデータ及び再生コンテンツデータ等を格納する。入力部３３は、各種信号や情報を入力するために用いられる。入力部３３は、例えば表示装置３００を操作する操作部材等である。
【００３８】
外部インターフェース部３４は、例えば、ＵＳＢメモリスロットやＳＤカードスロット、ＮＦＣ等である。ネットワーク制御部３５は、表示装置３００のネットワークへの接続を制御する。表示部３６は、表示装置３００が再生指示を受けたプレ再生コンテンツデータ及び再生コンテンツデータを再生する。
【００３９】
再生プログラム３１０は、表示装置３００を制御する各種プログラムの少なくとも一部である。再生プログラム３１０は、例えば、記録媒体３８の配布やネットワークからのダウンロードなどによって提供される。
【００４０】
再生プログラム３１０を記録した記録媒体３８がドライバ３７にセットされると、再生プログラム３１０は記録媒体３８からドライバ３７を介して記憶部３２にインストールされる。また、ネットワークからダウンロードされた場合にあっては、再生プログラム３１０は、ネットワーク制御部３５を介して記憶部３２にインストールされる。
【００４１】
記憶部３２は、インストールされた再生プログラム３１０を格納するとともに、必要なファイルや再生コンテンツデータ等のデータを格納する。ＣＰＵ３１は記憶部３２に格納された再生プログラム３１０に従って、後述するような各種処理を実現する。
[機能構成]
次に、図４を参照して、データ再生システム１００が有する各装置（情報端末２００、表示装置３００）の機能構成について説明する。図４は、本発明の実施形態におけるデータ再生システム１００が有する各装置（情報端末２００、表示装置３００）の機能構成の一例を示す図である。
【００４２】
＜情報端末＞
本発明の実施形態における情報端末２００は、記憶部２２に所定の記憶領域２５０が設けられている。記憶領域２５０には、例えば、コンテンツデータ２５１と、設定項目情報２５２とが格納されている。コンテンツデータ２５１は、例えば、表示装置３００にて再生することが可能なデータであり、例えば画像データや動画データ等である。設定項目情報２５２は、プレ再生制御情報及び再生制御情報を生成するにあたり、ユーザにより設定される項目を示す情報である。
【００４３】
なお、設定項目情報２５２には、例えば、"Ｏｒｄｅｒ"、"Ｔｉｍｅ"、"Ｅｆｆｅｃｔ"等の項目が含まれる。項目"Ｏｒｄｅｒ"とは、プレ再生コンテンツデータ３４１又は再生コンテンツデータ３４２の再生順に関する情報を設定する項目であり、例えば、コンテンツデータ２５１の識別情報の一覧画面で選択された選択順序に従って再生するか又はランダムに再生するか等を設定する項目である。
【００４４】
項目"Ｔｉｍｅ"とは、プレ再生コンテンツデータ３４１又は再生コンテンツデータ３４２の再生時間を設定する項目である。項目"Ｅｆｆｅｃｔ"とは、プレ再生コンテンツデータ３４１又は再生コンテンツデータ３４２の表示の切り替え方法を設定する項目であり、"フェードイン"や"プッシュ"、"ワイプ"等が設定される。
【００４５】
なお、"フェードイン"とは、再生コンテンツデータの切り替え時に、次のプレ再生コンテンツデータ３４１又は再生コンテンツデータ３４２が徐々に明確になるように表示する切り替え方法である。"プッシュ"とは、例えば、表示されているプレ再生コンテンツデータ３４１又は再生コンテンツデータ３４２を左右のどちらかに押し出すようにして、次のプレ再生コンテンツデータ３４１又は再生コンテンツデータ３４２を表示する切り替え方法である。また、"ワイプ"とは、表示されているプレ再生コンテンツデータ３４１又は再生コンテンツデータ３４２を拭き取るようにして次の再生コンテンツデータを表示する切り替え方法である。
【００４６】
また、情報端末２００は、プレ再生コンテンツデータ選択部２１１、プレ再生コンテンツデータ生成部２１２、再生コンテンツデータ選択部２１３、再生コンテンツデータ生成部２１４、データ転送制御部２１５、入力受付部２２０、表示制御部２３０、通信部２４０を有する。また、上記機能のうちプレ再生コンテンツデータ選択部２１１、プレ再生コンテンツデータ生成部２１２、再生コンテンツデータ選択部２１３、再生コンテンツデータ生成部２１４及びデータ転送制御部２１５は、再生制御プログラム２１０に含まれる。
【００４７】
プレ再生コンテンツデータ選択部２１１は、入力受付部２２０を介してプレ再生のためのコンテンツデータ２５１の選択を受け付ける。
【００４８】
プレ再生コンテンツデータ生成部２１２は、プレ再生コンテンツデータ選択部２１１が選択を受け付けたコンテンツデータ２５１に基づき、表示装置３００に送信するプレ再生コンテンツデータ３４１を生成する。プレ再生コンテンツ生成部２１２によるプレ再生コンテンツデータ３４１の生成処理とは、選択を受け付けたコンテンツデータ２５１に対して、プレ再生コンテンツデータ３４１として選択されたことを識別できるような処理（メタデータへの識別情報の埋込み）やコンテンツデータ２５１のデータサイズの変更（圧縮）を行ったりする。なお、プレ再生コンテンツ生成部２１２によるプレ再生コンテンツデータ３４１の生成処理には、例えば情報端末２００がコンテンツデータ２５１の実体データを保持していない場合等に、プレ再生コンテンツデータ３４１として選択されたコンテンツデータ２５１の識別情報を含む書誌情報を生成する処理が含まれる。なお、プレ再生コンテンツ生成部２１２による生成処理は、選択されたコンテンツデータ２５１をそのまま（例えばデータの編集、加工等は行わず）データ転送制御部２１５を介して、表示装置３００に転送する処理が含まれる。また、プレ再生コンテンツデータ生成部２１２は、ユーザに入力されたプレ再生コンテンツデータの再生の仕方を決定するための設定項目である設定項目情報２５２に対する設定値に基づきプレ再生制御情報３４３を生成する。
【００４９】
再生コンテンツデータ選択部２１３は、入力受付部２２０を介して再生のためのコンテンツデータ２５１の選択を受け付ける。
【００５０】
再生コンテンツデータ生成部２１４は、再生コンテンツデータ選択部２１３が選択を受け付けたコンテンツデータ２５１に基づき、表示装置３００に送信する再生コンテンツデータ３４２を生成する。また、再生コンテンツデータ生成部２１４は、ユーザに入力された再生コンテンツデータの再生の仕方を決定するための設定項目である設定項目情報２５２に対する設定値に基づき再生制御情報３４４を生成する。
【００５１】
データ転送制御部２１５は、生成されたプレ再生コンテンツデータ３４１及び再生コンテンツデータ３４２を、通信部２４０を介して、表示装置３００に転送するように制御する。
【００５２】
表示制御部２３０は、情報端末２００の出力部２６であるディスプレイ等に、コンテンツデータ２５１の識別情報の一覧画面を表示したり、プレ再生コンテンツデータ３４１又は再生コンテンツデータ３４２として選択されたコンテンツデータの識別情報の一覧画面を表示したりする。また、表示制御部２３０は、プレ再生制御情報３４３及び再生制御情報３４４を生成するための所定の設定項目及びこれらの設定値を入力するための入力フォームを含む設定画面を表示する。
【００５３】
入力受付部２２０は、コンテンツデータ２５１の識別情報が示された一覧画面においてコンテンツデータ２５１を選択するための選択操作を受け付ける。本発明の実施形態では、情報端末２００の当該一覧画面に対する選択操作を介して選択されたコンテンツデータ２５１が、表示装置３００で再生されるプレ再生コンテンツデータ３４１又は再生コンテンツデータ３４２として、表示装置３００へと送信される。また、入力受付部２２０は、設定画面を介して、ユーザからの設定値の入力を受け付ける。
【００５４】
通信部２４０は、ネットワーク制御部２５を制御し、表示装置３００との通信を行う。
【００５５】
なお、上記説明では、コンテンツデータ２５１は記憶部２２に格納されているものとしたが、コンテンツデータ２５１の格納場所はこれに限定されない。コンテンツデータ２５１は、例えば、情報端末２００が読取可能な可搬型の記録媒体に格納されていてもよいし、情報端末２００と通信が可能な外部装置に格納されていてもよい。
【００５６】
＜表示装置＞
表示装置３００は、保存制御部３１１、再生制御部３１２、表示制御部３２０及び通信部３３０を有する。なお、上記機能のうち保存制御部３１１及び再生制御部３１２は、再生プログラム３１０に含まれる。
【００５７】
さらに、表示装置３００は、情報端末２００から送信されたプレ再生コンテンツデータ３４１、再生コンテンツデータ３４２、プレ再生制御情報３４３及び再生制御情報３４４を格納する記憶領域３４０を有する。なお、記憶領域３４０は、例えば、表示装置３００が有する記憶部３２に設けられてもよいし、表示装置３００が読取可能な可搬型の記録媒体に設けられていてもよい。また、記憶領域３４０は、表示装置３００と通信が可能な外部装置等に設けられていてもよい。
【００５８】
保存制御部３１１は、情報端末２００から受信したプレ再生コンテンツデータ３４１、再生コンテンツデータ３４２、プレ再生制御情報３４３及び再生制御情報３４４を記憶領域３４０に格納する。また、保存制御部３１１は、情報端末２００からプレ再生コンテンツデータ３４１、再生コンテンツデータ３４２の再生指示を受けると、それぞれプレ再生制御情報３４３、再生制御情報３４４に含まれる各項目の設定値を表示装置３００に設定する。
【００５９】
再生制御部３１２は、情報端末２００からのプレ再生コンテンツデータ３４１又は再生コンテンツデータ３４２の再生指示を受け付けると、当該表示装置３００に設定されたプレ再生制御情報３４３又は再生制御情報３４４に基づく再生処理を制御する。
【００６０】
表示制御部３２０は、表示装置３００の表示部３６を制御し、プレ再生コンテンツデータ３４１又は再生コンテンツデータ３４２を表示する。
【００６１】
通信部３３０は、ネットワーク制御部３５を制御し、情報端末２００との通信を行う。
[データ再生システムの動作手順]
次に図５及び図６を参照して、データ再生システム１００の動作を説明する。図５、図６は、それぞれ本発明の実施形態におけるデータ再生システムの動作手順の一例を示すシーケンス図（その１）、（その２）である。
【００６２】
図５に示すように、情報端末２００の入力受付部２２０は、ユーザの入力部２３の操作に基づくコンテンツデータ２５１の識別情報の一覧表示の要求を受ける（Ｓ１０１）。次に、表示制御部２３０は、入力受付部２２０が受け付けた要求に基づき、コンテンツデータ２５１の識別情報が示された一覧画面及びプレ再生コンテンツデータ３４１として選択されたコンテンツデータの識別情報が示された一覧画面を表示する（Ｓ１０２）。
【００６３】
続いて情報端末２００の入力受付部２２０が、ユーザによるコンテンツデータ２５１を選択するための選択操作を受け付ける（Ｓ１０３）。なお、入力受付部２２０が受け付けた選択操作により選択されたコンテンツデータ２５１は、表示制御部２３０により、その識別情報が、一覧画面に表示される。
【００６４】
本発明の実施形態における情報端末２００では、ユーザがプレ再生コンテンツデータ３４１を構成するコンテンツデータ２５１を選択するための選択操作を終了するまでステップＳ１０３の処理を繰り返す。ステップＳ１０３で選択されたコンテンツデータ２５１は、情報端末２００においてプレ再生コンテンツデータ３４１として認識される。
【００６５】
続いて情報端末２００の表示制御部２３０が、設定項目情報２５２を参照し、設定項目情報２５２に含まれる項目の設定画面を表示する（Ｓ１０４）。
【００６６】
続いて情報端末２００の入力受付部２２０が、設定画面を介してユーザにより入力された各項目の設定値を受け付ける（Ｓ１０５）。設定項目情報２５２に含まれる各項目は、前述した通りである。
【００６７】
続いて情報端末２００の入力受付部２２０が、ユーザからのプレ再生コンテンツデータ３４１の再生要求を受け付けると（Ｓ１０６）、プレ再生コンテンツデータ生成部２１２が、プレ再生制御情報３４３を生成する（Ｓ１０７）。具体的には、ユーザより再生要求を受け付けると、プレ再生コンテンツデータ生成部２１２が、設定項目情報２５２の各設定項目の設定値を所定のフォーマットに代入することでプレ再生制御情報３４３を生成する。
【００６８】
続いて情報端末２００のデータ転送制御部２１５が、通信部２４０を介して、プレ再生制御情報３４３を表示装置３００に送信する（Ｓ１０８）。
【００６９】
表示装置３００の通信部３３０が情報端末２００からのプレ再生制御情報３４３を受信すると、保存制御部３１１が、プレ再生制御情報３４３を記憶領域３４０に格納する（Ｓ１０９）。
【００７０】
続いて情報端末２００のデータ転送制御部２１５が、通信部２４０を介して、プレ再生コンテンツデータ３４１を表示装置３００に送信する（Ｓ１１０）。
【００７１】
表示装置３００の保存制御部３１１が、受信したプレ再生コンテンツデータ３４１を記憶領域３４０に格納する（Ｓ１１１）。表示装置３００の場合、例えば記憶領域３４０内に情報端末２００に対応したフォルダ等が設けられており、プレ再生コンテンツデータ３４１とプレ再生制御情報３４３はこのフォルダに格納される。
【００７２】
続いて表示装置３００の保存制御部３１１は、通信部３３０を介して、記憶領域３４０へのプレ再生コンテンツデータ３４１の格納（アップロード）を完了したことを情報端末２００へ通知する（Ｓ１１２）。
【００７３】
情報端末２００は、この通知を受け付けると、表示装置３００に対してプレ再生コンテンツデータ３４１のプレ再生指示を送信する（Ｓ１１３）。表示装置３００では、情報端末２００からのプレ再生指示を受信すると、プレ再生制御情報３４３に従ったプレ再生コンテンツデータ３４１の再生が実行されるよう、プレ再生制御情報３４３に含まれる各設定項目の設定値を表示装置３００内に設定する。
【００７４】
また、表示装置３００では、再生指示を受信すると、再生制御部３１２が、プレ再生制御情報３４３に従ったプレ再生コンテンツデータ３４１の再生を実行することができるか否かを検証する（Ｓ１１４）。
【００７５】
ここで、再生制御部３１２による検証について説明する。再生制御部３１２では、プレ再生制御情報３４３を参照し、プレ再生制御情報３４３が表示装置３００により読取可能なフォーマットであるか否かを検証する。また、再生制御部３１２では、プレ再生制御情報３４３を参照し、例えば、項目"Ｖｅｒｓｉｏｎ"の値が表示装置３００と対応しているか、またプレ再生制御情報３４３に各コンテンツデータ２５１のパス情報が含まれているか否か等の検証を行う。
【００７６】
再生制御部３１２は、通信部３３０を介して、再生制御部３１２による検証結果を情報端末２００に通知する（Ｓ１１５）。具体的には、プレ再生コンテンツデータ３４１が再生可能であることが検証された場合、通信が成功したことを情報端末２００に通知する。
【００７７】
情報端末２００の表示制御部２３０は、通信部２４０を介して受信した検証結果を表示する（Ｓ１１６）。
【００７８】
また、再生制御部３１２は、プレ再生コンテンツデータ３４１の再生が実行不可能であることが検証された場合、通信に失敗したことを情報端末２００に通知する。再生が実行不可能である場合とは、例えば、プレ再生制御情報３４３が表示装置３００では読み取れないフォーマットであった場合や、Ｖｅｒｓｉｏｎが表示装置３００と対応していない場合等が挙げられる。あるいは、プレ再生制御情報３４３に、コンテンツデータ２５１のパス情報が含まれていない場合等が挙げられる。
【００７９】
表示装置３００では、例えば通信に失敗した場合に、プレ再生コンテンツデータ３４１の再送を促すメッセージを情報端末２００に表示させる。情報端末２００では、プレ再生コンテンツデータ３４１を再送する場合、ステップＳ１０４〜ステップＳ１０８までの処理を繰り返す。
【００８０】
なお、プレ再生コンテンツデータ３４１を再送する場合、プレ再生コンテンツデータ３４１と設定項目情報２５２に含まれる項目の設定値のみを表示装置３００へ送信するようにしてもよい。この場合、表示装置３００では、再送された項目の設定値をプレ再生制御情報３４３の該当する項目へ格納し、再度、再生制御部３１２による検証が行われる。
【００８１】
ステップＳ１１６に続いて表示装置３００の再生制御部３１２は、プレ再生コンテンツデータ３４１をプレ再生制御情報３４３に従って再生する（Ｓ１１７）。なお、ステップＳ１１７のプレ再生コンテンツデータ３４１を再生する処理は、ステップＳ１１２における再生コンテンツデータ３４２のアップロードの完了後、すなわちステップＳ１１３の情報端末２００からのプレ再生指示を受け付けることなく、直ちに実行するようにしてもよい。
【００８２】
次に、図６に基づきデータ再生システム１００の動作手順を説明する。図６に示すシーケンス図には、図５に示した処理後に実行される動作手順が示されている。すなわち、図６の初期状態では、表示装置３００においてプレ再生コンテンツデータが再生されている。
【００８３】
図６に示すように、情報端末２００の入力受付部２２０は、ユーザの入力部２３の操作に基づくコンテンツデータ２５１の識別情報の一覧表示の要求を受ける（Ｓ２０１）。次に、表示制御部２３０は、入力受付部２２０が受け付けた要求に基づき、コンテンツデータ２５１の識別情報が示された一覧画面及び再生コンテンツデータ３４２として選択されたコンテンツデータの識別情報が示された一覧画面を表示する（Ｓ２０２）。
【００８４】
続いて情報端末２００の入力受付部２２０が、ユーザによるコンテンツデータ２５１を選択するための選択操作を受け付ける（Ｓ２０３）。なお、入力受付部２２０が受け付けた選択操作により選択されたコンテンツデータ２５１は、表示制御部２３０により、その識別情報が、一覧画面に表示される。
【００８５】
本発明の実施形態における情報端末２００では、ユーザが再生コンテンツデータ３４２を構成するコンテンツデータ２５１を選択するための選択操作を終了するまでステップＳ２０３の処理を繰り返す。ステップＳ２０３で選択されたコンテンツデータ２５１は、情報端末２００において再生コンテンツデータ３４２として認識される。
【００８６】
続いて情報端末２００の表示制御部２３０が、設定項目情報２５２を参照し、設定項目情報２５２に含まれる項目の設定画面を表示する（Ｓ２０４）。
【００８７】
続いて情報端末２００の入力受付部２２０が、設定画面を介してユーザにより入力された各項目の設定値を受け付ける（Ｓ２０５）。設定項目情報２５２に含まれる各項目は、前述した通りである。
【００８８】
続いて情報端末２００の入力受付部２２０が、ユーザからの再生コンテンツデータ３４２の再生要求を受け付けると（Ｓ２０６）、再生コンテンツデータ生成部２１４が、再生制御情報３４４を生成する（Ｓ２０７）。具体的には、ユーザより再生要求を受け付けると、再生コンテンツデータ生成部２１４が、設定項目情報２５２の各設定項目の設定値を所定のフォーマットに代入することで再生制御情報３４４を生成する。
【００８９】
続いて情報端末２００のデータ転送制御部２１５が、通信部２４０を介して、再生制御情報３４４を表示装置３００に送信する（Ｓ２０８）。
【００９０】
表示装置３００の通信部３３０が情報端末２００からの再生制御情報３４４を受信すると、保存制御部３１１が、再生制御情報３４４を記憶領域３４０に格納する（Ｓ２０９）。
【００９１】
続いて情報端末２００のデータ転送制御部２１５が、通信部２４０を介して、再生コンテンツデータ３４２を表示装置３００に送信する（Ｓ２１０）。
【００９２】
表示装置３００の保存制御部３１１が、受信した再生コンテンツデータ３４２を記憶領域３４０に格納する（Ｓ２１１）。表示装置３００の場合、例えば記憶領域３４０内に情報端末２００に対応したフォルダ等が設けられており、再生コンテンツデータ３４２と再生制御情報３４４はこのフォルダに格納される。
【００９３】
続いて表示装置３００の保存制御部３１１は、通信部３３０を介して、記憶領域３４０への再生コンテンツデータ３４２の格納（アップロード）を完了したことを情報端末２００へ通知する（Ｓ２１２）。
【００９４】
情報端末２００は、この通知を受け付けると、表示装置３００に対して再生コンテンツデータ３４２のプレ再生指示を送信する（Ｓ２１３）。表示装置３００では、情報端末２００からのプレ再生指示を受信すると、再生制御情報３４４に従った再生コンテンツデータ３４２の再生が実行されるよう、再生制御情報３４４に含まれる各設定項目の設定値を表示装置３００内に設定する。
【００９５】
また、表示装置３００では、再生指示を受信すると、再生制御部３１２が、再生制御情報３４４に従った再生コンテンツデータ３４２の再生を実行することができるか否かを検証する（Ｓ２１４）。
【００９６】
再生制御部３１２は、通信部３３０を介して、再生制御部３１２による検証結果を情報端末２００に通知する（Ｓ２１５）。
【００９７】
情報端末２００の表示制御部２３０は、通信部２４０を介して受信した検証結果を表示する（Ｓ２１６）。
【００９８】
なお、表示装置３００は、例えば情報端末２００との通信に失敗した場合、再生コンテンツデータ３４２の再送を促すメッセージを情報端末２００に表示させる。情報端末２００は、再生コンテンツデータ３４２を再送する場合、ステップＳ２０４〜ステップＳ２０８までの処理を繰り返す。
【００９９】
なお、再生コンテンツデータ３４２を再送する場合、再生コンテンツデータ３４２と設定項目情報２５２に含まれる項目の設定値のみを表示装置３００へ送信するようにしてもよい。この場合、表示装置３００では、再送された項目の設定値を再生制御情報３４４の該当する項目へ格納し、再度、再生制御部３１２による検証が行われる。
【０１００】
また、ステップＳ５１５における表示装置３００から情報端末２００への検証結果の通知後、表示装置３００の再生制御部３１２は、再生中のプレ再生コンテンツデータ３４１の再生を停止する（Ｓ２１７）。そして、再生中のプレ再生コンテンツデータ３４１が停止されると、再生制御部３１２は、再生コンテンツデータ３４２を再生制御情報３４４に従って再生する（Ｓ２１８）。なお、ステップＳ２１７、Ｓ２１８の再生コンテンツデータ３４２を再生するための処理は、ステップＳ２１２における再生コンテンツデータ３４２のアップロードの完了後、すなわちステップＳ２１３の情報端末２００からの再生指示を受け付けることなく、直ちに実行するようにしてもよい。なお、表示装置３００が再生コンテンツデータ３４２のストリーミング再生が可能である場合、表示装置３００はステップＳ２１０における情報端末２００からの再生コンテンツデータ３４２を受信中であってもステップＳ２１８における再生コンテンツデータ３４２の再生を実行してもよい。すなわち、再生制御部３１２は、プレ再生コンテンツデータ３４１の再生中に、再生コンテンツデータ３４２の再生が可能となった場合、ステップＳ２１８における再生コンテンツデータ３４２の再生を実行する。
【０１０１】
なお、図５（図６）に示す情報端末２００の場合、プレ再生制御情報３４３（再生制御情報３４４）を表示装置３００に送信した後にプレ再生コンテンツデータ３４１（再生コンテンツデータ３４２）を表示装置３００に送信する構成としたが、本発明はこれに限定されない。例えば、プレ再生制御情報３４３（再生制御情報３４４）をプレ再生コンテンツデータ３４１（再生コンテンツデータ３４２）と対応付けて、両者を同時に表示装置３００に送信する構成としてもよい。
【０１０２】
また、図５（図６）に示す情報端末２００の場合、コンテンツデータ２５１を選択するための選択操作が行われ、設定項目情報２５２の項目の設定値が設定された後に、プレ再生制御情報３４３（再生制御情報３４４）を生成する構成としたが、本発明はこれに限定されない。例えばコンテンツデータ２５１を選択するための選択操作や設定項目情報２５２の項目の設定値の設定の際に、並行してプレ再生制御情報３４３（再生制御情報３４４）を生成する構成としてもよい。
【０１０３】
また、設定項目情報２５２の各項目の設定値の設定は、例えば、再生制御プログラム２１０が起動された際に行われてもよいし、コンテンツデータ２５１の識別情報の一覧表示の要求を受けた直後に行われてもよい。設定項目情報２５２の項目の設定値の設定は、プレ再生制御情報３４３（再生制御情報３４４）を生成する際に設定されていればよい。
[再生制御プログラムのユーザインターフェース]
次に、情報端末２００が再生制御プログラム２１０を実行することによりユーザに提供されるユーザインターフェースについて説明する。図７は、本発明の実施形態における情報端末２００に表示される表示画面の一例を示す図である。図７には、再生制御プログラム２１０が情報端末２００により実行されることで、ユーザに提供されるユーザインターフェースの一例が示されている。
【０１０４】
図７（ａ）に示すように、再生制御プログラム２１０が実行されることで、情報端末２００には、まずプレ再生用のコンテンツデータ２５１を選択するためのユーザインターフェース画面を含む表示画面６００が表示される。
【０１０５】
図７（ａ）の表示画面６００は、記憶領域２５０に格納されたコンテンツデータ２５１の全部または一部の識別情報（本発明の実施形態では、サムネイル画像）を一覧表示する一覧画面である第１の表示領域６１０を有する。更に、表示画面６００は、情報端末２００のユーザに対する操作指示内容及びプレ再生用のコンテンツデータ２５１を選択しない場合に押下されるスキップボタン６２１を含む第２の表示領域６２０を有する。スキップボタン６２１が押下された場合、記憶領域２５０に記憶されたコンテンツデータ２５１のうち予め定めたデフォルトのプレ再生用のコンテンツデータ２５１が選択され、このデフォルトのプレ再生用のコンテンツデータ２５１をプレ再生コンテンツデータ３４１として表示装置３００に送信し、表示装置３００に再生させる指示が行われるとともに、図７（ｃ）に示す表示画面６００に遷移する。なお、スキップボタン６２１が押下された場合、デフォルトのプレ再生コンテンツデータ３４１を再生させるのではなく、プレ再生コンテンツデータ３４１が再生されないようにしてもよい。更に、表示画面６００は、選択したプレ再生コンテンツデータ３４１（再生コンテンツデータ３４２）を表示装置３００に送信し、再生させるときに押下される再生指示ボタン６３０を有する。ここで、第１の表示領域６１０に含まれるコンテンツデータ２５１の一覧からプレ再生コンテンツデータ３４１を構成するコンテンツデータ２５１が選択されると、図７（ｂ）に示す表示画面６００に遷移する。
【０１０６】
図７（ｂ）では、プレ再生用のコンテンツデータ２５１として、表示画面６００の第１の表示領域６１０に表示されている"１"及び"２"のサムネイル画像が選択された場合の例を示している。この場合、第２の表示領域６２０には、選択されたサムネイル画像が表示されている。なお、図７（ｂ）の状態において、第２の表示領域６２０の"１"又は"２"のサムネイル画像に対してタップ操作を行うことで、当該サムネイル画像に対応するコンテンツデータ２５１の選択が解除される。ここで、プレ再生コンテンツデータ３４１を構成するコンテンツデータ２５１の選択後、再生指示ボタン６３０が押下されると、図７（ｃ）に示す表示画面６００に遷移する。
【０１０７】
図７（ｃ）の表示画面６００は、情報端末２００のユーザに対する操作指示内容（「再生用のコンテンツデータの選択指示」を含む第２の表示領域６２０を有する。ここで、第１の表示領域６１０に含まれるコンテンツデータ２５１の一覧から再生コンテンツデータ３４２を構成するコンテンツデータ２５１が選択されると、図７（ｄ）に示す表示画面６００に遷移する。
【０１０８】
図７（ｄ）では、再生用のコンテンツデータ２５１として、表示画面６００の第１の表示領域６１０に表示されている"７"、"８"及び"９"のサムネイル画像が選択された場合の例を示している。この場合、第２の表示領域６２０には、選択されたサムネイル画像が表示されている。ここで、プレ再生コンテンツデータ３４１を構成するコンテンツデータ２５１の選択後、再生指示ボタン６３０が押下されると、選択されたコンテンツデータ２５１が表示装置３００に送信される。
【０１０９】
上述したように、ユーザは情報端末２００において再生制御プログラム２１０を実行させることで、プレ再生コンテンツデータ３４１に含まれるコンテンツデータ２５１を任意に選択することができる。
[表示装置の処理手順]
次に、図８を参照して、表示装置３００の処理手順を詳述する。図８は、本発明の実施形態における表示装置の処理手順の一例を示すフローチャート図である。
【０１１０】
図８に示すように、表示装置３００の保存制御部３１１は、通信部３３０を介して、情報端末２００からのプレ再生制御情報３４３を受信し、受信したプレ再生制御情報３４３を記憶領域３４０に保存する（Ｓ３０１）。
【０１１１】
次に、保存制御部３１１は、通信部３３０を介して、情報端末２００からのプレ再生コンテンツデータ３４１を受信し、受信したプレ再生コンテンツデータ３４１を記憶領域３４０に保存する（Ｓ３０２）。
【０１１２】
次に、再生制御部３１２が通信部３３０を介して、情報端末２００からのプレ再生指示を受け付ける（Ｓ３０３）と、プレ再生コンテンツデータ３４１をプレ再生制御情報３４３に従って再生する（Ｓ３０４）。
【０１１３】
次に、保存制御部３１１は、通信部３３０を介して、情報端末２００からの再生制御情報３４４を受信し、受信した再生制御情報３４４を記憶領域３４０に保存する（Ｓ３０５）。
【０１１４】
次に、保存制御部３１１は、通信部３３０を介して、情報端末２００からの再生コンテンツデータ３４２を受信し、受信した再生コンテンツデータ３４２を記憶領域３４０に保存する（Ｓ３０６）。
【０１１５】
次に、再生制御部３１２が通信部３３０を介して、情報端末２００からの再生指示を受け付ける（Ｓ３０７）と、再生中の他のコンテンツデータ（プレ再生コンテンツデータ３４１）が有るか否かを判定する（Ｓ３０８）。
【０１１６】
ここで、再生中の他のコンテンツデータが無い場合（Ｓ３０８においてＮＯ）、後述するステップＳ３１０の処理が実行される。
【０１１７】
一方、再生中の他のコンテンツデータが有る場合（Ｓ３０８においてＹＥＳ）、他のコンテンツデータの再生を停止する（Ｓ３０９）。
【０１１８】
そして、再生制御部３１２は、再生コンテンツデータ３４２を再生制御情報３４４に従って再生する（Ｓ３１０）。
【０１１９】
上述した処理手順により、本発明の実施形態における表示装置３００（再生プログラム３１０）は、プレ再生コンテンツデータ３４１の再生中に、再生コンテンツデータ３４２の再生指示を受け付けた場合、再生中のプレ再生コンテンツデータ３４１を停止し、再生コンテンツデータ３４２に切り替えて再生することができる。
【０１２０】
以上、本発明の実施形態におけるデータ再生システム１００によれば、表示装置３００において再生コンテンツデータ３４２が再生される前に、情報端末２００においてユーザが任意に選択したコンテンツデータに基づくプレ再生コンテンツデータ３４１を表示装置３００に再生させることができる。そして、表示装置３００において、再生コンテンツデータ３４２の再生が可能となった場合、再生中のプレ再生コンテンツデータ３４１から再生コンテンツデータ３４２に切り替えて再生することができる。
【０１２１】
このように、ユーザは、例えば、再生コンテンツデータ３４２が商品又はサービスの広告等に関するものである場合、プレ再生コンテンツデータ３４１として広告対象の商品又はサービスを提供する企業のロゴ等を自由に用いることができる。
【０１２２】
また、プレ再生コンテンツデータ３４１は、再生コンテンツデータ３４２を再生する都度、情報端末２００において生成され、表示装置３００に送信するため、表示装置３００の記憶領域３４０を節約することができる。
【０１２３】
また、ユーザは、データ再生システム１００をユーザが所有する情報端末２００に再生制御プログラム２１０をインストールするだけで手軽に利用できる。表示装置３００は、製品出荷時等に予め再生プログラム３１０をインストールさせておけばよい。
[変形例]
本発明の実施形態の変形例では、プレ再生コンテンツデータ生成部２１２によるプレ再生コンテンツデータ３４１の生成処理において、ユーザにより選択されたコンテンツデータ２５１の解像度を調整する。具体的には、表示装置３００がプロジェクタである場合、プレ再生コンテンツデータ生成部２１２は、プロジェクタの性能（表示能力）に基づく投影可能な最大の解像度（例えば、１２８０×８００ｄｐｉ）になるように、例えば図９に示すように、プレ再生コンテンツデータ３４１の解像度を調整する。図９は、本発明の実施形態の変形例におけるプレ再生コンテンツデータ３４１の変換イメージの一例を示す図である。図９（ａ）は、ユーザに選択されたコンテンツデータ２５１であり、解像度は変更されていない状態である。図９（ｂ）は、ユーザに選択されたコンテンツデータ２５１を、プレ再生コンテンツデータ生成部２１２により例えば解像度が低くなるように変更した場合の例である。なお、プレ再生コンテンツデータ３４１の解像度が、表示装置３００の解像度より大きい場合、プレ再生コンテンツデータ生成部２１２は、プレ再生コンテンツデータ３４１の解像度を低くすることで、プレ再生コンテンツデータ３４１のデータサイズを小さくすることができる。したがって、プレ再生コンテンツデータ生成部２１２による解像度の変更処理により、プレ再生コンテンツデータ３４１を表示装置３００に転送する時間を短縮することができる。また、これにより情報端末２００と表示装置３００との間のネットワークの負荷を軽減できる。なお、プレ再生コンテンツデータ生成部２１２は、プレ再生コンテンツデータ３４１を生成する前に、予め記憶領域２５０等に記憶されている表示装置３００の解像度（表示能力）に基づき、プレ再生コンテンツデータ３４１を生成する。但し、この場合に限らず、例えば、プレ再生コンテンツデータ生成部２１２が、プレ再生コンテンツデータ３４１を生成する前に、表示装置３００に対して表示装置３００の解像度（表示能力）を問い合わせ、その問合わせ結果に基づき、プレ再生コンテンツデータ３４１を生成するようにしてもよい。なお、プレ再生コンテンツデータ３４１の解像度は、プレ再生コンテンツデータ生成部２１２が表示装置３００の性能に合わせるのではなく、例えば、情報端末２００（ユーザ）において任意に設定された解像度に合わせるようにしてもよい。また、プレ再生コンテンツデータ生成部２１２は、プレ再生コンテンツデータ３４１のデータサイズを小さくするため、例えばプレ再生コンテンツデータ３４１のファイル形式を変換してもよい。ファイル形式の変換は、例えばＪＰＥＧやＢｉｔｍａｐ形式のデータをＰＮＧ（Portable Network Graphics）形式への変換をいう。
【０１２４】
なお、変形例では、プレ再生コンテンツデータ３４１の解像度を変更させる処理を示したが、例えば再生コンテンツデータ生成部２１４が再生コンテンツデータ３４２の解像度を変更するようにしてもよい。
【０１２５】
なお、本発明の実施形態において表示装置３００が受信するプレ再生コンテンツデータ３４１又は再生コンテンツデータ３４２は、情報端末２００が自端末に保存されているデータ本体を表示装置３００に送信するのではなく、例えば、コンテンツデータ２５１が保存されているネットワークに接続されたファイルサーバ（ＮＡＳ（Network Attached Storage））から送信されてもよい。この場合、情報端末２００がＮＡＳ等に保存されているコンテンツデータの一覧を取得し、取得したコンテンツデータの一覧から再生するコンテンツデータを選択する。情報端末２００は、表示装置３００に、プレ再生コンテンツデータ３４１又は再生コンテンツデータ３４２の再生の指示を行うだけでよい。
【０１２６】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１２７】
１００    データ再生システム
２００    情報端末
２１０    再生制御プログラム
２１１    プレ再生コンテンツデータ選択部
２１２    プレ再生コンテンツデータ生成部
２１３    再生コンテンツデータ選択部
２１４    再生コンテンツデータ生成部
２１５    データ転送制御部
２２０    入力受付部
２３０    表示制御部
２４０    通信部
２５０    記憶領域
２５１    コンテンツデータ
２５２    設定項目情報
３００    表示装置
３１０    再生プログラム
３１１    保存制御部
３１２    再生制御部
３２０    表示制御部
３３０    通信部
３４０    記憶領域
３４１    プレ再生コンテンツデータ
３４２    再生コンテンツデータ
３４３    プレ再生制御情報
３４４    再生制御情報
【先行技術文献】
【特許文献】
【０１２８】
【特許文献１】特開２００９−２０６８５９号公報
【図１】
2015041836.tif 000003
【図２】
2015041836.tif 000004
【図３】
2015041836.tif 000005
【図４】
2015041836.tif 000006
【図５】
2015041836.tif 000007
【図６】
2015041836.tif 000008
【図７】
2015041836.tif 000009
【図８】
2015041836.tif 000010
【図９】
2015041836.tif 000011